(57)【要約】【課題】  今までは地震等の災害のときに、最も大切にしているアルバム、卒業証書、資格取得書、不動産権利書等をタンス等にしまいこんでいるため、１刻も早く避難したいのに貴重品をまとめるのに時間がかかり、また停電になった夜には見つけにくく、探しているうちに２次災害に巻き込まれる危険性もあった。以上の点を解決し、また防火の必要性も満たす。【解決手段】  カバン内部をアルバム収納部、筒収納部、ファスナーポケットに分け、大事なものを整理して保存できるようにする。難燃性のある防火反射布を表地全体に使い、夜の停電時でもすぐに見つけられるようにし、火や水からも内部を守る構造にする。【選択図】  図１
2006223768.tif 000002
【特許請求の範囲】
【請求項１】
カバン表地全体に消防士が火事の消火のときに着用する防火服と同じ難燃性のある防火反射布又は防火反射テープ（よく黄色、オレンジなどを使用している部分です）を使用したカバン。
【請求項２】
請求項１記載のカバンで、縫い糸もファスナーも難燃性のある防火素材を使用し、内側の素材も防火布を使うことによって、より丈夫な作りで内部に入っている宝物を安全に守ることができるカバン。
【請求項３】
請求項２記載のカバンで、内部の作りにも、大きく重量のあるアルバムをおさまるように中央にスペースを作り、その中心から左右両側にたて、横、深さとも全て同じポケットを、丈夫な芯を入れ深いポケットを含め全て丈夫に仕上げ、軽い卒業証書、資格取得書などが入った筒を入れ、両側左右にしっかりおさまるようにし、他にビデオカメラテープ、デジタルカメラのメモリーカード、メモリーチップ、フロッピーディスクなども両側ポケットに入れられ、カバン左右のバランスを良くし、カバンを背負っている時、または手に持った時、中身の片寄りとカバン本体の傾きを防ぎ、カバン左右の平均した重量が体のバランスを保ち、身体の負担を取り除くことが出来、歩いている時の身体の安全を考えた災害避難用アルバム保管カバン。
【発明の詳細な説明】
【発明の詳細な説明】
【技術分野】
【０００１】  本発明は、写真などお金で買い直すことが出来ない貴重品を、普段の日常生活で使いながら保管しておくことを可能とし、急に災害に遭遇した時、停電し保管場所が見えない時に、短時間で保管場所を見つけ、大事な保管物を安全な状態に保持しながら、すぐに短時間で避難できるように作られたカバンに関するものである。
【背景技術】
【０００２】  今までの通常購入できるカバンは隙間があり火や水が内部に入って大事なものがだいなしになった。また、夜の停電時などの非常時に、短時間でその保管場所を見つけることも難しかった。非常用防災袋も、貴重品を保管するという目的には適していなかった。
【発明が解決しようとする課題】
【０００３】  今までのカバン類は、突然の地震等の災害で無事危険から逃れ、命が助かった後、避難所で大きな心配になる物、せめて写真、卒業証書、資格取得書、不動産権利書を持って避難してくればと後悔することが多かった。また、命の安全を考えながらさっと日常まとめてあるものを持って逃げることができない、まとめてあるものの中身が安全に守られない、避難の途中でカバンの中身が偏り体の負担になる、もし夜の停電時に、道中、倒れても周りの人に分からない等の多くの問題点があった。
【課題を解決するための手段】
【０００４】  本発明は、火事の時に着用する消防服に使われる素材である火や水に強い難燃性のある防火反射布１を表地全体に使った、安全と人命を一番に考えたものである。難燃性のある防火反射布１を表地全体に使うことにより、非常時でも光を大きく反射するためカバンのある場所を簡単に見つけることができる。また。夜の避難中でもカバンを背負った人間が見えやすくなり、より安全に避難することが可能となる。例えば、避難中の人間がこのカバンを背負っていれば、倒れて動けなくなってしまった場合でも発見されやすくなる。また、カバンは火が容易に入ってこないよう、隙間を空けない作りにする。これにより貴重品を入れて安心して避難をすることができる。
【０００５】  カバン内部はアルバム収納部４、筒収納部２、ふた内側のファスナーポケット６に分かれているので、普段の生活の間に大事なものを整理して保存することができる。また、カバンの構造も歩きやすいように中身が片寄らない工夫をする。内部中央に重心をおく、アルバム収納部４には重いアルバムなどが収まるようにし、内部左右の筒収納部２には軽い資格取得書、卒業証書等を入れた筒を入れ、ふたの内側には不動産権利書等を保管するファスナーポケット６を付ける。両手が空けられるように、小さめの電灯と水筒等を下げられる小さなベルトを縫い付け、それにフック３をつける。また左右のバランスをとることで、歩き疲れしない構造となっている。
【発明を実施するための最良の形態】
【０００６】  カバン全体に難燃性のある防火反射布１を使用することにより、反射する部分を広く大きくし見つけやすくする。又、難燃性防火材でより安全に内部を守る。カバンの中心のアルバム収納部４にアルバムなど重量のある物を入れ、左右両側の筒収納部２には歩いている時に重さのあるアルバムが偏って片側に重さがかからないように卒業証書や資格取得書等を入れた筒を収納、又は保管する。固めの仕切りのついたポケットを付け、中心のアルバム収納部４にアルバムが安定するようにし、歩きの負担を少なくする。また、アルバム収納部４と筒収納部２の中身が動かないように固定ベルト５をつける。ふたには筒に入らないような不動産権利書等を入れる大きさのあるファスナーポケット６をつけ、又外側の左右両側にベルトにフック３を取り付け、小さめの水筒や電灯を下げることが出来るようにする。ふた外側のファスナーポケットにも難熱性のある防火反射布を使用し、ポケットに入れた中身も火や水から守られるように難熱性ある防火ファスナーを使用する。避難場所等で誰もが簡単にカバンの中身が見られないようにカバンのふたの閉めに鍵をつける。背おいベルトには表地と同じ防火反射布を使う。背中が当たる部分には薄い防火クッションをいれ、背中が痛くないようにする。
【発明の効果】
【０００７】  日本は地震が多く、いつ大きな災害が自分の身に起きるかもしれないことを考えその心がまえが必要である。本発明によっていつも日常生活で保管カバンとし、使用。大事なものを使った後に片付けられる便利さが得られる。その保管カバンにいつも大事なものをまとめて入れておけば、すぐ背おい短時間でさっと避難できる。また夜道ではカバン全体が難燃性の防火反射布で覆われているので、もし電灯がつかなくなった時でも通りの車や周りの通りがかりの人からも反射光が見え、もしも疲れてしゃがんでいたり、万が一倒れている人がいたら、気付いてもらえることが出来、事故も避けられ、一刻も早く助けることが出来る。また、長く歩いてもカバンの左右のバランスが取れるデザインなので中身が偏ることも無く、疲れを減らすことが出来る。また、避難中、長い期間、家を空けていても貴重品の心配をすることなく避難生活が出来、もっとも大事な物だけでも持って避難出来たという安心感が得られ、精神的にも良い。
【図面の簡単な説明】
【０００８】
【図１】本発明の一実施例を示す斜視図である。
【符号の説明】
【０００９】１  難熱性のある防火反射布
２  筒収納部ポケット
３  小物かけフック
４  アルバム収納部
５  固定ベルト
６  ふた内側のファスナーポケット（マチ付き）
７  ふた外側のファスナーポケット
８  高さに余裕を持たせたポケットふた
９  住所名前入れ
１０  取り外し可能な背おいベルト
１１  点線は写真アルバムや書類などの保管例
【図１】
2006223768.tif 000003